(57)【特許請求の範囲】
【請求項１】
葯から花粉を収集するための花粉収集具であって、
開口部を有する少なくとも１の第１収容部と、
前記第１収容部に収容されてなり、開口部を有する少なくとも１の第２収容部とを備え、
前記第１収容部は、花粉を透過しない透湿性材料からなり、
前記第２収容部は、第２収容部の開口部を封止する封止部を有し、花粉を透過し葯を透過しない材料からなる、
ことを特徴とする花粉収集具。
【請求項２】
前記第１収容部が、第１収容部の開口部を封止する封止部を有する請求項１に記載の花粉収集具。
【請求項３】
前記第２収容部が、前記第１収容部に固定されている請求項１又は２に記載の花粉収集具。
【請求項４】
前記第１収容部が、開封補助手段を有する請求項１〜３のいずれかに記載の花粉収集具。
【請求項５】
前記透湿性材料の透湿度が、２５００ｇ／（ｍ2・２４時間）以上である請求項１〜４のいずれかに記載の花粉収集具。
【請求項６】
前記第２収容部が、熱可塑性樹脂からなる請求項１〜５のいずれかに記載の花粉収集具。
【請求項７】
前記熱可塑性樹脂が、ポリオレフィン系樹脂である請求項６に記載の花粉収集具。
【請求項８】
前記第２収容部が、不織布からなる請求項１〜７のいずれかに記載の花粉収集具。
【請求項９】
前記不織布の目付が１０〜１００ｇ／ｍ2である請求項８に記載の花粉収集具。
【請求項１０】
請求項１〜９のいずれかに記載の花粉収集具の第２収容部に葯を封入してなる葯入り資材。
【請求項１１】
下記の工程（１）から（３）を含む花粉収集方法。
（１）雄蕊から採取した葯を請求項１〜９のいずれかに記載の花粉収集具の第２収容部に封入する工程、
（２）葯を封入した前記花粉収集具を乾燥させて開葯させる工程、及び、
（３）前記花粉収集具から第２収容部を分離し、溶液授粉用溶媒中に投入して振とうする工程
【請求項１２】
下記の工程（１）から（４）を含む人工授粉方法。
（１）雄蕊から採取した葯を請求項１〜９のいずれかに記載の花粉収集具の第２収容部に封入する工程、
（２）葯を封入した前記花粉収集具を乾燥させて開葯させる工程、
（３）前記花粉収集具から第２収容部を分離し、溶液授粉用溶媒に投入して花粉分散溶液を調製する工程（３）、及び、
（４）工程（３）で得られた花粉分散溶液を雌蕊に噴霧する工程
【発明の詳細な説明】
【技術分野】
【０００１】
本発明は、人工授粉を簡便に行うことができる花粉収集具に関する。具体的には、花粉の生産及び人工授粉を簡便に行うことができる花粉収集具、葯入り資材、前記花粉収集具を用いた花粉収集方法及び人工授粉方法に関する。
【背景技術】
【０００２】
キウイフルーツは、雄雌異株であるため雌樹しか結実しない。そのため、キウイフルーツの生産においては、着果率の向上のため、雄樹の雄花から花粉を採取して雌株に授粉させる人工授粉が行われている。人工授粉では、花粉の採取に手間がかかる上、花粉の生産が人工授粉の超繁忙期と重複するため、果樹や野菜の生産者が花粉の生産を十分に行うことができない場合があった。そのため、多くの産地では輸入花粉が利用されていた。
【０００３】
しかしながら、近年「キウイかいよう病」等の病気が世界的に蔓延し、その結果、輸入花粉は超品薄となり価格が高騰して、入手が困難になるといった問題が発生した。そのため、花粉の自家生産が重要視されるようになった。
【０００４】
花粉の自家生産は、まず雄花を採取し、雄花から雄蕊を採取し、雄蕊から葯を採取し、葯を乾燥させることにより開葯させて花粉を取り出し、花粉を収集することによって行われる。このような花粉の自家生産においては、とりわけ葯から花粉を精選し収集する作業に多くの時間と労力を要する。例えば、キウイフルーツの場合、通常、約１０ａに必要な花粉（約４０ｇ）の生産に３２時間もかかる。
【０００５】
人工授粉及びその準備に要する作業を省力化するために、種々の方法が提案されている。例えば、特許文献１では、油に花粉を浸漬することで、花粉を長期貯蔵することができること、また、水溶液に増粘剤を添加することで、花粉を水溶液に分散することができ、スプレー器材による花粉の散布が可能となり、作業の省力化及び作業時間の短縮化を図ることが提案されている。
しかしながら、特許文献１の方法では、油に花粉を浸漬する工程が更に追加されるため作業工程が増加し、花粉の生産に時間を要することとなる。
【先行技術文献】
【特許文献】
【０００６】
【特許文献１】特開２００６−２４６７０２号公報
【発明の概要】
【発明が解決しようとする課題】
【０００７】
花粉の自家生産においては、特に花粉の精選と収集の作業に多くの時間が割かれる。そのため、精選・収集作用を簡略化して、花粉の自家生産を簡便に行う方法の開発が望まれていた。また、花粉を容易に収集し、溶液受粉用溶媒に混和させて花粉分散溶液を調製し噴霧できる簡便な人工授粉の方法の開発が望まれていた。
そのような状況下、本発明は、人工授粉を簡便に行うことができる花粉収集具、葯入り資材、前記花粉収集具を用いた花粉収集方法、及び、人工授粉方法を提供することを目的とする。
【課題を解決するための手段】
【０００８】
本発明者らは、上記の課題に鑑み鋭意研究を重ねた結果、開口部を有する少なくとも１の第１収容部と、前記第１収容部に収容されてなり、開口部を有する少なくとも１の第２収容部とを備え、前記第１収容部は、花粉を透過しない透湿性材料からなり、前記第２収容部は、第２収容部の開口部を封止する封止部を有し、花粉を透過し葯を透過しない材料からなることを特徴とする花粉収集具とすることにより、花粉の精選・収集工程を省略し、花粉の収集を簡便に行うことができることを見出した。また、花粉の取扱いが容易になることを見出した。更に、前記花粉収集具を使用することにより、花粉分散溶液を容易に作製することができ、人工授粉を簡便に行うことができることを見出した。本発明は、これらの知見に基づいて更に検討を重ねることにより完成したものである。
【０００９】
即ち、本発明は、下記に掲げる態様の発明を提供する。
項１．葯から花粉を収集するための花粉収集具であって、開口部を有する少なくとも１の第１収容部と、前記第１収容部に収容されてなり、開口部を有する少なくとも１の第２収容部とを備え、前記第１収容部は、花粉を透過しない透湿性材料からなり、前記第２収容部は、第２収容部の開口部を封止する封止部を有し、花粉を透過し葯を透過しない材料からなる、ことを特徴とする花粉収集具。
項２．前記第１収容部が、第１収容部の開口部を封止する封止部を有する項１に記載の花粉収集具。
項３．前記第２収容部が、前記第１収容部に固定されている項１又は２に記載の花粉収集具。
項４．前記第１収容部が、開封補助手段を有する項１〜３のいずれかに記載の花粉収集具。
項５．前記透湿性材料の透湿度が、２５００ｇ／（ｍ2・２４時間）以上である項１〜４のいずれかに記載の花粉収集具。
項６．前記第２収容部が、熱可塑性樹脂からなる項１〜５のいずれかに記載の花粉収集具。
項７．前記熱可塑性樹脂が、ポリオレフィン系樹脂である項６に記載の花粉収集具。
項８．前記第２収容部が、不織布からなる項１〜７のいずれかに記載の花粉収集具。
項９．前記不織布の目付が１０〜１００ｇ／ｍ2である項８に記載の花粉収集具。
項１０．項１〜９のいずれかに記載の花粉収集具の第２収容部に葯を封入してなる葯入り資材。
項１１．下記の工程（１）から（３）を含む花粉収集方法。
（１）雄蕊から採取した葯を項１〜９のいずれかに記載の花粉収集具の第２収容部に封入する工程、
（２）葯を封入した前記花粉収集具を乾燥させて開葯させる工程、及び、
（３）前記花粉収集具から第２収容部を分離し、溶液授粉用溶媒中に投入して振とうする工程
項１２．下記の工程（１）から（４）を含む人工授粉方法。
（１）雄蕊から採取した葯を項１〜９に記載の花粉収集具の第２収容部に封入する工程、
（２）葯を封入した前記花粉収集具を乾燥させて開葯させる工程、
（３）前記花粉収集具から第２収容部を分離し、溶液授粉用溶媒に投入して花粉分散溶液を調製する工程（３）、及び、
（４）工程（３）で得られた花粉分散溶液を雌蕊に噴霧する工程
以下に、本発明について詳述する。
【発明の効果】
【００１０】
本発明によれば、花粉の精選・収集工程を省略でき、花粉の生産を簡易化することができる。また、葯を用いるため、花粉の取扱いを簡易化することができる。更に、簡便な人工授粉方法を提供することができる。
【図面の簡単な説明】
【００１１】
【図１】本発明の花粉収集具の一例の概略平面図である。
【図２】実験例１の結果を示す写真である。
【図３】実験例２の結果を示す写真である。
【図４】実験例４の結果を示す写真である。
【図５】実験例６の外袋乾燥性試験の結果を示すグラフである。
【図６】実験例７で得られた果実（さぬきゴールド）の写真である。
【図７】実験例７で得られた果実（香緑）の写真である。
【図８】実験例７で得られた果実（ヘイワード）の写真である。
【発明を実施するための形態】
【００１２】
花粉収集具
本発明の花粉収集具は、葯から花粉を収集するための花粉収集具であって、開口部を有する少なくとも１の第１収容部と、前記第１収容部に収容されてなり、開口部を有する少なくとも１の第２収容部とを備え、前記第１収容部は、花粉を透過しない透湿性材料からなり、前記第２収容部は、第２収容部の開口部を封止する封止部を有し、花粉を透過し葯を透過しない材料からなることを特徴とする。以下に、本発明の花粉収集具について詳述する。
【００１３】
（第１収容部）
第１収容部は、後述する第２収容部を収容するためのものである。第１収容部は、花粉を透過しない透湿性材料からなる。そのため、葯が封入される第２収容部から花粉が流出しても、第１収容部から外部へは流出しない。
【００１４】
第１収容部は、第２収容部を収容するための開口部を有する。第１収容部の開口部の大きさは、第２収容部を収容することができる大きさであれば特に限定されず、適宜選択することができる。
【００１５】
第１収容部は、第２収容部を収容した後に、前記開口部から花粉が流出するのを防ぐために、第１収容部の開口部を封止するための封止部を有することが好ましい。前記封止部としては、前記開口部からの花粉の流出を防止し得る手段を備えるものであれば特に限定されず、前記手段としては、例えば、熱溶着、接着剤によるシール、又は、封止チャックなどが挙げられる。前記封止部は、第１収容部の一部を折り曲げるなどにより前記開口部を覆って封止できるように、設けられていることが好ましい。
【００１６】
第１収容部の形状は、特に限定されないが、袋状が好ましい。袋の形状としては、特に限定されず、平袋、二方袋、三方袋、ガゼット袋、スタンド袋など、公知の形状であればよい。
第１収容部の大きさとしては、後述する第２収容部を少なくとも１つ収容できる大きさであれば、特に限定されないが、花粉収集具として取扱いが容易な大きさであることが好ましく、一般的には、縦７０〜１５０ｍｍ×横６０〜１３０ｍｍ程度の大きさが好ましく、例えば、縦１３０ｍｍ×横１１０ｍｍ等が挙げられる。
第１収容部の好ましい形態の一例としては、例えば、縦７０〜１５０ｍｍ×横６０〜１３０ｍｍの平袋などが挙げられる。
【００１７】
第１収容部は、透湿性材料からなる。第１収容部が透湿性材料からなることにより、葯を乾燥させやすく、開葯して多くの花粉を収集することができる。
【００１８】
透湿性材料の透湿度としては、葯が乾燥されやすい点で、２５００ｇ／（ｍ2・２４時間）以上が好ましく、より好ましくは３０００ｇ／（ｍ2・２４時間）以上である。
透湿度は、水蒸気透過度試験機を用いて、ＪＩＳ  Ｋ７１２９（Ａ法）に準拠して、測定範囲０．０３で測定して得られる値である。
【００１９】
透湿性材料としては、前述の透湿度を有するものであれば特に限定されず、例えば、微多孔膜からなる透湿性フィルムや、ＰＰＣ用紙、ハトロン紙又はクラフト紙等の紙などが挙げられる。微多孔膜からなる透湿性フィルムとしては、例えば、七王工業社製のポリエチレン微多孔膜等のポリオレフィン微多孔膜等が挙げられる。なかでも、通気性に優れ、内容物が取り出しやすい点で、紙が好ましく、クラフト紙がより好ましい。微多孔膜は、強度に優れる点で好ましい。
【００２０】
（第２収容部）
本発明の花粉収集具における第２収容部は、花粉と葯を篩い分けるためのものである。そのため、第２収容部は、花粉を透過し葯を透過しない材料からなる。第２収容部に葯を封入して開葯させた後に、第２収容部を振とうさせることにより、花粉と葯が篩い分けられ、花粉のみが第２収容部から流出し、葯から花粉を容易に収集することができる。第２収容部は、第１収容部に収容されているので、花粉は第２収容部から流出しても本発明の花粉収集具の外部へ流出することはない。
また、開葯した葯を封入した第２収容部を第１収容部から分離して、溶液受粉用溶媒に投入して振とうすることにより、前記溶媒中に花粉を混和させて花粉分散溶液を調製することができる。
【００２１】
第２収容部は、葯を入れるための開口部を有する。前記開口部の大きさは、葯を入れることができる大きさであれば特に限定されず、適宜選択することができる。
【００２２】
第２収容部は、前記開口部を封止する封止部を有する。前記開口部を封止することにより、葯が流出するのを防ぐ。前記封止部としては、前記開口部から葯が流出するのを防ぐ手段を備えるものであれば特に限定されず、前記手段としては、例えば、熱溶着、接着剤によるシール、又は、封止チャックなどが挙げられる。なかでも、良好に封止できる点で熱溶着が好ましい。前記封止部は、前記開口部付近に設けられていることが好ましい。
【００２３】
第２収容部の形状は、特に限定されないが、袋状が好ましい。袋の形状としては、特に限定されず、平袋、二方袋、三方袋、ガゼット袋、スタンド袋など、公知の形状であればよい。
第２収容部の大きさとしては、特に限定されないが、１回分の花粉分散溶液を調製する際に必要な花粉の量が得られる量の葯を封入できる大きさであることが好ましい。例えば、花粉の濃度が２８５，０００個／ｍｌ以上となる１回分の花粉分散溶液を調製する場合には、新鮮重量で１０〜５０ｇ程度の葯を封入できる大きさであることが好ましい。また、花粉分散溶液の調製を容易にする点で、人工授粉用の噴霧器に投入できる大きさであることが好ましい。第２収容部の大きさとしては、具体的には例えば、縦７０〜１３０ｍｍ×横６０〜１００ｍｍ程度が挙げられる。
第２収容部の好ましい形態の一例としては、例えば、縦７０〜１３０ｍｍ、横６０〜１００ｍｍの平袋などが挙げられる。
【００２４】
第２収容部は、熱可塑性樹脂からなることが好ましい。前記熱可塑性樹脂としては、例えば、ポリオレフィン系樹脂、ポリエステル系樹脂、ポリアミド系樹脂、フッ素樹脂、ポリエーテルスルホン等が挙げられる。なかでも、前記熱可塑性樹脂としては、ポリオレフィン系樹脂、ポリエステル系樹脂、及び、ポリアミド系樹脂からなる群より選択される少なくとも一種が好ましく、熱溶着性が優れる点で、ポリオレフィン系樹脂がより好ましい。
【００２５】
ポリオレフィン系樹脂とは、オレフィンを構成モノマーとして含むポリマーであり、例えば、エチレン、プロピレン、ブテン、ペンテン、ヘキセン、ヘプテン、オクテン、ノネン、デセン、ウンデセン、ドデセン等のα−オレフィンを重合単位とするホモポリマー、ランダムコポリマー又はブロックコポリマー等が挙げられる。
【００２６】
ポリオレフィン系樹脂としては、例えば、ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体エチレン−マレイン酸共重合体、ポリエチレン又はポリプロピレン等のポリオレフィン系樹脂をアクリル酸、メタクリル酸、マレイン酸、無水マレイン酸等の不飽和カルボン酸で変性した酸変性ポリオレフィン樹脂等が挙げられる。なかでも、ポリプロピレンが好ましい。
【００２７】
第２収容部の素材は、花粉を透過し、葯を透過しないものであれば特に限定されず、例えば、花粉より大きく、葯より小さい細孔を有するもの、又は、不織布等の一方の面から他方の面まで花粉が透過し得るものが挙げられる。なかでも、第２収容部は不織布からなることが好ましい。
【００２８】
花粉より大きく、葯より小さい細孔の大きさとしては、特に限定されず、適用する果樹や野菜の花粉や葯の大きさに合わせて適宜選択すればよい。通常、葯は長さ３〜４ｍｍ程度であり、花粉は乾燥時長径２７〜３０μｍ程度、短径１２〜１５μｍ程度であるので、前記細孔の大きさとしては、例えば、直径１２〜２５００μｍ程度が挙げられ、好ましくは３０〜１０００μｍ程度が挙げられ、より好ましくは３０〜５００μｍ程度が挙げられる。細孔は、プラズマ処理等、公知の方法により形成することができる。
【００２９】
前記不織布の目付としては、特に限定されないが、花粉が透過しやすい点で、１０〜１００ｇ／ｍ2が好ましく、１０〜５０ｇ／ｍ2がより好ましく、１０〜３０ｇ／ｍ2が更に好ましく、１２〜２０ｇ／ｍ2が更により好ましい。
【００３０】
第２収容部は、花粉が透過しやすい点で、疎水性材料からなることが好ましい。前記疎水性材料とは、例えば、親水化を高める処理がなされていない疎水性のポリオレフィンやポリエステル等の材料をいう。親水化処理としては、親水性物質によるコーティング処理、酸素プラズマ等による親水化処理などが挙げられる。
【００３１】
図１に、本発明の花粉収集具の一例の概略平面図を示す。図１に示す花粉収集具１は、１つの第１収容部２と１つの第２収容部３を備える。第１収容部２には、開口部付近であって開口部より上方に封止部５が備えられている。第２収容部３には、開口部付近であって開口部より袋底側に封止部４が備えられている。本発明の花粉収集具では、葯は第２収容部３に入れられ、封止部４によって第２収容部３の開口部が封止される。第２収容部３は、第１収容部２に収容されており、封止部５によって第１収容部２の開口部が封止される。
【００３２】
第１収容部は１つであってもよいし、複数あってもよい。また、第１収容部に収容される第２収容部は、１つであってもよいし、複数であってもよいが、取扱いが容易である点で１つが好ましい。
【００３３】
第１収容部２の封止部５は、例えば、図１に示すように、第１収容部２の開口部から一部突き出た部分に設けられ、当該部分を折り曲げて開口部を覆い封止できるように備えられるとよい。
【００３４】
第２収容部３の封止部４は、例えば、図１に示すように、第２収容部の開口部付近に備えられるとよい。
【００３５】
第２収容部は、第１収容部に固定されていても、固定されていなくてもよいが、花粉収集具の取扱いが容易となる点で、第２収容部は、第１収容部に固定されていることが好ましい。第２収容部全体が第１収容部に固定されていると、第２収容部を第１収容部から分離するのが困難になるため、第２収容部の一部が第１収容部に固定されていることが好ましい。固定する方法は、特に限定されず、例えば、接着剤又は両面テープを用いた固定、あるいは、ヒートシールによる固定など、公知の方法が挙げられる。図１には、第１収容部２と第２収容部３の開口部付近に固定部７を備えた例を示す。固定部７は、図１に示すように、第２収容部においては封止部４より開口部側の外面に設けられ、第１収容部において開口部付近の内面に設けられることが好ましい。
【００３６】
また、第１収容部は、第２収容部を封入した後に、第２収容部を取り出すための開封補助手段を有することが好ましい。開封補助手段を備えることにより、第１収容部の開封が容易になる。開封補助手段としては、例えば、花粉が流出しない大きさのミシン目を形成する方法や、第１収容部の端部に切り込みを入れる方法等が挙げられる。図１には、開封補助手段６として、ミシン目を入れた例を示す。開封補助手段６は、葯が封入された第２収容部を容易に取り出すことができる点で、第２収容部の封止部４より開口部側に設けられることが好ましい。
本発明の花粉収集具を製造する方法は特に限定されず、公知の方法で製造することができる。
【００３７】
使用方法
本発明の花粉収集具を用いて葯から花粉を収集し、人工授粉を行う方法について説明する。まず、雄花から雄蕊を採取し、雄蕊から葯を採取する。次いで、採取した葯を本発明の花粉収集具の第２収容部に入れて封入する。次いで、花粉収集具を開葯機に入れて乾燥させて開葯させる。次いで、花粉収集具の第１収容部を開封して第２収容部を取り出し、第２収容部を溶液受粉用溶媒中で振とうさせることにより花粉を溶媒に混和させて花粉分散溶液を調製する。そして、得られた花粉分散溶液を雌蕊に噴霧する。このように、本発明の花粉収集具を用いて葯から花粉を収集し、溶液授粉による人工授粉を行うことができる。
【００３８】
開葯は、葯を乾燥させることにより行うことができる。葯の乾燥は、開葯できるのであれば特に限定されないが、一般に、１５〜２５℃で８〜７２時間で行うことが好ましく、２０〜２５℃で１２〜２４時間行うことがより好ましい。前記乾燥は、開葯機を用いるなど公知の方法で行うことができる。また、乾燥時に適宜送風を行うことで、より効率的に葯を乾燥させることができる。
【００３９】
花粉分散溶液の調製は、特に限定されず、公知の方法を用いればよい。例えば、開葯した葯が封入された第２収容部を溶液受粉用溶媒と共に噴霧器に投入し、前記第２収容部を振とうして花粉を溶媒に混和させて花粉分散溶液を調製するとよい。花粉分散溶液に用いる溶媒は、公知の溶液授粉用の溶媒であれば特に限定されない。
【００４０】
花粉分散溶液は、授粉を十分に行うことができる点で、溶液中の花粉の量が２８５，０００個／ｍｌ以上であることが好ましく、２８５，０００〜５７０，０００個／ｍｌであることがより好ましい。
【００４１】
花粉分散溶液の噴霧は、公知の噴霧器を用いて、花粉分散溶液を雌蕊に噴霧することにより行うとよい。
【００４２】
このように本発明の花粉収集具を用いると、開葯させて葯と花粉を分離する精選作業と花粉を収集する作業とを省略化でできるため、花粉の生産を簡便に行うことができる。また、開葯した葯が封入された第２収容部をそのまま溶媒に投入し振とうさせるだけで花粉分散溶液を容易に調製することができるため、溶液授粉による人工授粉を簡便に行うことができる。そのため、本発明の花粉収集具は、人工授粉を行う果樹や野菜の生産に好適に使用することができる。なかでも、雌雄異株や自家不和合性の果樹や野菜の生産に好適に使用することができる。
本発明の花粉収集具を好適に使用することのできる果樹又は野菜としては特に限定されず、例えば、キウイフルーツ、オウトウ、ナシ、スモモ、又はリンゴ等が挙げられる。
【００４３】
葯入り資材
本発明の葯入り資材は、前述の花粉収集具の第２収容部に葯を封入してなる。
本発明の葯入り資材は、開葯機で乾燥させた葯から花粉を容易に採取することができる。また、本発明の葯入り資材は花粉が外部へ漏れないため輸送時の取扱い等が容易である。更に、第１収容部と第２収容部を分離し、第２収容部を溶液授粉用溶媒に浸して振とうさせることにより、花粉を溶液に混和させて花粉分散溶液を容易に調製することができる。
【００４４】
本発明の葯入り資材に封入される葯の量としては、１回の人工授粉に有効な花粉量が含まれる量であれば特に限定されないが、一般に、新鮮重量で１０〜５０ｇが挙げられ、１０〜２５ｇが好ましい。
【００４５】
本発明の葯入り資材は、少なくとも葯が含まれていればよく、葯と一緒に花糸などの他の器官が含まれていても良い。
本発明の葯入り資材に封入される葯は、新鮮（生葯）であってもよいし、凍結された葯であってもよいし、開葯した葯であってもよいし、なかでも、封入時に花粉が飛散しにくい点で、葯は新鮮（生葯）であることが好ましい。
【００４６】
花粉収集方法
前述の花粉収集具を用いた花粉収集方法について説明する。本発明の花粉収集方法は、下記の工程（１）〜（３）を含む。
（１）雄蕊から採取した葯を前述の花粉収集具の第２収容部に封入する工程
（２）葯を封入した前記花粉収集具を乾燥させて開葯させる工程
（３）前記花粉収集具から第２収容部を分離し、溶液授粉用溶媒中に投入して振とうする工程
【００４７】
工程（１）において、雄蕊から採取した葯は、雄花の雄蕊から採取された葯であれば特に限定されない。雄蕊から葯を採取する方法は、特に限定されず、公知の方法が適用できる。また、市販の葯を用いてもよい。
また、葯を花粉収集具の第２収容部に封入する方法は、特に限定されず、公知の方法で行うとよいが、熱溶着により封止することが好ましい。熱溶着の方法は特に限定されず、公知の方法で行うとよい。
【００４８】
工程（２）において、開葯させる方法としては、特に限定されず、前述のように、開葯機を用いて葯を乾燥させる等の公知の方法で行うことができる。乾燥は、開葯できる条件であれば特に限定されないが、通常、温度１５〜２５℃で８〜４８時間で行うことが好ましく、２０〜２５℃で１２〜２４時間行うことがより好ましい。
【００４９】
また、本発明の花粉収集方法において、前述の開葯工程（２）の後に、葯を凍結させる工程を有していてもよい。葯を乾燥後、凍結させることにより、花粉を長く保存させることができる。凍結中は乾燥状態を保持し、花粉を使用する前に解凍するとよい。
【００５０】
工程（３）において、花粉収集具から第２収容部を分離する方法としては、特に限定されず、公知の方法で行うとよい。第１収容部が前述の開封補助手段を有する場合は、開封補助手段を利用して、第２収容部を取り出すとよい。取り出した第２収容部を溶液授粉用溶媒に投入して振とうすることにより、花粉を溶媒中に分散させることができる。なお、第２収容部を取り出した際に、花粉が第１収容部に流出した場合は、第１収容部内の花粉も溶液授粉用溶媒に投入するとよい。
【００５１】
人工授粉方法
前述の花粉収集具を用いた人工授粉方法について説明する。本発明の人工授粉方法は、下記の工程（１）〜（４）を含む。
（１）雄蕊から採取した葯を前述の花粉収集具の第２収容部に封入する工程、
（２）葯を封入した前記花粉収集具を乾燥して開葯させる工程、
（３）前記花粉収集具から第２収容部を分離し、溶液授粉用溶媒に投入して花粉分散溶液を調製する工程（３）、及び、
（４）工程（３）で得られた花粉分散溶液を雌蕊に噴霧する工程
【００５２】
工程（１）及び工程（２）としては、前述の花粉収集方法の工程（１）及び工程（２）と同様の工程が挙げられる。
【００５３】
工程（３）において、花粉収集具から第２収容部を分離する方法としては、前述の花粉収集方法の工程（３）に記載の方法と同様の方法が挙げられる。
花粉収集具から分離した第２収容部を溶液授粉用溶媒に投入し、振とうさせることで、第２収容部内に葯は留まり花粉のみが溶媒中に分散するので、花粉分散溶液を調製することができる。
【００５４】
溶液授粉用溶媒としては、特に限定されず、公知のものを使用することができる。
花粉分散溶液は、授粉を十分に行うことができる点で、溶液中の花粉の量が２８５，０００個／ｍｌ以上であることが好ましく、２８５，０００〜５７０，０００個／ｍｌであることが好ましい。
【００５５】
工程（４）において、花粉分散溶液を雌蕊に噴霧する方法としては、特に限定されず、公知の溶液授粉用の噴霧器を用いて行う方法等が挙げられる。
【００５６】
以上のように、本発明の花粉収集具を使用することにより、人工授粉を簡便に行うことができる。
【実施例】
【００５７】
以下に実施例を示して本発明をより具体的に説明するが、本発明はこれらに限定されるものではない。
【００５８】
実験例１
（試験１−１）
表１に示す各区の袋（サイズ１００ｍｍ×１２０ｍｍ）に精選花粉２ｇを入れて、熱溶着（約１８０℃）により封入し、その袋を受粉用スプレーに溶液授粉用溶媒（蒸留水５００ｍｌ、スクロース２５ｇ、アガー０．５ｇで組成）５００ｍｌとともに投入して３分間振とうし、得られた花粉分散溶液中の花粉数を調査した。花粉数はトーマ血球計算盤を用い、３反復計数の平均値を算出した。なお、対照区は精選花粉のみを投入した。結果を表２に示す。
【００５９】
（試験１−２）
表１に示す各区の袋に生葯（前年に採取し、直ちに冷凍したトムリの生葯）３．５ｇを入れて、熱溶着（約１８０℃）により封入後、２５℃一昼夜（２４時間）で乾燥させて開葯し、受粉用スプレーに試験１−１と同じ溶媒２００ｍｌとともに袋を投入して３分間振とうし、得られた花粉分散溶液中の花粉数を調査した。花粉数は試験１−１と同様の方法で調査した。結果を表２に示す。
なお、試験１−１及び試験１−２で使用した花粉及び葯は、精選花粉（ニュージーランド産輸入花粉）及び生葯（トムリ）を解凍したものである。
【００６０】
【表１】
0006760621.tif 000002
【００６１】
【表２】
0006760621.tif 000003
【００６２】
表２より、試験１−１では、精選花粉を充填した場合の花粉透過数は、IV区が最も多く、対照区（通常の花粉希釈倍数：２５０倍）の約６０％程度であった（図２−１、２−２）。また、試験１−２では、生葯を充填し、開葯（乾燥）させた場合の花粉透過数は、IV区が最も多くなった。IV区は、袋内における葯の動きが容易で溶媒と良く馴染むのに対し、親水性のＩ〜III区は袋内で葯が固まったままで溶媒とのなじみが劣ることが観察された（図２−３、２−４）。以上から、疎水性素材の花粉透過率が良好であることがわかる。
【００６３】
実験例２
（試験２−１）
表３に示す各区の袋に精選花粉２ｇを入れて、熱溶着（約１８０℃）により封入し、その袋を受粉用スプレーに溶液授粉用溶媒（蒸留水５００ｍｌ、スクロース２５ｇ、アガー０．５ｇで組成）５００ｍｌとともに投入して３分間振とうし、得られた花粉分散溶液中の花粉数を調査した。花粉数はトーマ血球計算盤を用い、３反復計数の平均値を算出した。なお、対照区は精選花粉のみを投入した。結果を表４に示す。
【００６４】
（試験２−２）
表３に示す各区の袋に生葯１２．５ｇを入れて、熱溶着（約１８０℃）により封入後、２５℃一昼夜（２４時間）で乾燥させて開葯し、受粉用スプレーに試験２−１と同じ溶媒２５０ｍｌとともに投入して３分間振とうし、試験２−１と同様の方法で花粉分散溶液中の花粉数を調査した。結果を表５に示す。
なお、試験２−１及び２−２で使用した花粉及び葯は、解凍した精選花粉（ニュージーランド産輸入花粉）及び生葯（さぬき花粉力）である。
【００６５】
【表３】
0006760621.tif 000004
【００６６】
【表４】
0006760621.tif 000005
【００６７】
【表５】
0006760621.tif 000006
【００６８】
表４より、試験２−１では、各素材の袋から溶液中へ透過、拡散した花粉数は、Ｉ区が最も多く、対照区（通常の花粉希釈倍数：２５０倍）の約６８％程度であった。
表５より、試験２−２では、各素材の袋から溶液中へ透過、拡散した花粉数は、IV区が最も多かった。以上のことから、精選花粉ではポリプロピレン不織布（目付１５ｇ／ｍ2）が、生葯ではポリエステル不織布（目付３０ｇ／ｍ2、プラズマ処理）が有望と考えられた。なお、コストを考慮するとポリプロピレン１５ｇ／ｍ2・疎水性が有望と考えられた。
【００６９】
実験例３
表６に示す織布等からなる各区の袋に精選花粉２ｇを入れて、熱溶着（約１８０℃）により封入し、その袋を受粉用スプレーに溶液授粉用溶媒（蒸留水５００ｍｌ、スクロース２５ｇ、アガー０．５ｇで組成）５００ｍｌとともに投入して３分間振とうし、得られた花粉分散溶液中の花粉数を調査した。花粉数はトーマ血球計算盤を用い、３反復計数の平均値を算出した。なお、対照区は精選花粉のみを投入した（対照区のデータは前回のデータを使用）。結果を表７に示す。
なお、使用した花粉は、精選花粉（ニュージーランド産輸入花粉）を解凍したものである。
【００７０】
【表６】
0006760621.tif 000007
【００７１】
【表７】
0006760621.tif 000008
【００７２】
表７より、いずれの区も溶液中へ透過、拡散した花粉数が対照区に比べ顕著に少なかった。
【００７３】
実験例４
表８に示す各区の袋に生葯１２．５ｇを入れて、熱溶着（約１８０℃）により封入し、２５℃一昼夜（２４時間）で生葯を乾燥させて開葯し、袋を受粉用スプレーに溶液授粉用溶媒（蒸留水２５０ｍｌ、スクロース１２．５ｇ、アガー０．２５ｇで組成）２５０ｍｌとともに投入して３分間振とうし、得られた花粉分散溶液中の花粉数を調査した。花粉数はトーマ血球計算盤を用い、３反復計数の平均値を算出した。なお、対照区は開葯した葯のみを投入した。結果を表９に示す。なお、使用した葯は、生葯（さぬき花粉力）である。
【００７４】
【表８】
0006760621.tif 000009
【００７５】
【表９】
0006760621.tif 000010
【００７６】
各素材の袋から溶液中へ透過、拡散した花粉数はIII区、次いでＩ区が多かった。IV区は硬く、柔軟性に乏しいため、受粉用スプレーに入らなかった。また、目が粗いため開葯中に花粉が落ちるロスが高かった（図４−１〜４−４）。
【００７７】
実験例５
ポリプロピレン不織布（目付量１５ｇ／ｍ2、疎水性）からなる内袋（第２収容部）に生葯１２．５ｇを入れ、熱溶着（約１８０℃）により封入し、前記内袋をさらに表１０に示す各区の外袋（第１収容部）に入れて、２５℃に設定した開葯機で２〜３日間乾燥した後、デシケーターで脱水して含水率を算出し、含水率を算出した。また、乾燥後の花粉の発芽率を調査した。対照区は同量の生葯を薬包紙に載せ、同様の処理を行って、含水率と発芽率を評価した。なお、使用した葯は、２０１５年産の採葯直後の生葯（マツア、チーフトン）である。
【００７８】
【表１０】
0006760621.tif 000011
【００７９】
【表１１】
0006760621.tif 000012
【００８０】
【表１２】
0006760621.tif 000013
【００８１】
表１１より、乾燥効率は、ＩＩ区がＩ区よりも優れていた。両区及び対照区とも、開葯機内で葯を薄く広げない場合は１日間の乾燥では不十分であった。Ｉ及びＩＩ区とも、乾燥時間は２日間でも不十分で３日間を要すると考えられた。
表１２より、乾燥処理３日後におけるチーフトンの花粉の発芽率は、ＩＩ区がＩ区よりも高かったが、両区とも６０％以上を維持していた。
以上のことから、外袋としては、ＭＣハトロン紙（大手ファストフード店の紙袋）の方が茶色薄紙よりも乾燥効率、花粉発芽率の維持の点で優れていた。
【００８２】
実験例６
（花粉収集具の作製）
ポリプロピレン不織布（目付１５ｇ／ｍ2、疎水性）からなる内袋（第２収容部）（サイズ１００ｍｍ×１２０ｍｍ）と、クラフト紙（茶）（三菱製紙社製）、晒クラフト紙（白）（三菱製紙社製）、ＰＰＣ用紙（三菱製紙社製）又は透湿フィルム（七王工業社製）からなる外袋（第１収容部）（サイズ１３０ｍｍ×１８０ｍｍ）とをそれぞれ備え、内袋が外袋に収容された二重袋構造の花粉収集具を作製した。各外袋の透湿度は下記のとおりである。なお、透湿度は、水蒸気透過度試験機を用いて、ＪＩＳ  Ｋ７１２９（Ａ法）に準拠して、測定範囲０．０３で測定して得られた値である。
クラフト紙（茶）    ３６６６ｇ／（ｍ2・２４ｈ）
晒クラフト紙（白）  ３５４９ｇ／（ｍ2・２４ｈ）
ＰＰＣ用紙          ３７５８ｇ／（ｍ2・２４ｈ）
透湿フィルム        ２５１３ｇ／（ｍ2・２４ｈ）
【００８３】
（外袋乾燥性試験）
まず、得られた花粉収集具の重量を測定した。次いで、純水で湿らせたキムワイプ（登録商標）の重量を測定し、前記花粉収集具の内袋の中に前記キムワイプを詰めて重量測定した。その後、送風有り又は送風無しで、約２０℃、湿度４０％の室内環境下で２２時間乾燥させた。そして、乾燥後の花粉収集具の重量を測定し、外袋の種類によってキムワイプの含水量がどれだけ変化するかを評価した。
なお、送風有りとは、送風機の風が均一にあたるように試験体を平置きして乾燥させたことをいい、送風無しとは、送風機の影響のない場所に試験体を平置きして乾燥させたことをいう。
結果を示したグラフを図５に示す。
【００８４】
図５より、いずれの外袋を用いた場合であっても、送風有の場合は、７０％程度以上乾燥することが分かった。また、外袋がクラフト紙である場合、透湿フィルム又はＰＰＣ用紙である場合と比較して、乾燥性に優れることが分かった。
【００８５】
実験例７
表１３に示す素材からなる外袋（第１収容部）と内袋（第２収容部）からなる、図１に示すような二重袋構造の花粉収集具を作製した。
【００８６】
【表１３】
0006760621.tif 000014
【００８７】
花粉収集具（外袋１３０ｍｍ×１８０ｍｍ、内袋１００ｍｍ×１２０ｍｍ）の内袋に生葯（２０１５年産の採葯直後の生葯（さぬき花粉力、又は、マツア））１２．５ｇを入れ、熱溶着（約１８０℃）により封入し、開葯機（２５℃）で２日間、更にデシケーターで１日間乾燥させた。その後、外袋を除いて、葯が封入された内袋を授粉用スプレーに溶液授粉用溶媒（商品名  花タッチ、受粉用花粉増量剤、全国農業組合連合会愛媛県本部）２５０ｍｌと共に投入して３分間振とうし、花粉分散溶液を作製した後、前記溶液を雌蕊に噴霧して人工授粉を行った（花粉収集具区）。なお、キウイ品種「さぬきゴールド」（７年生）には「さぬき花粉力」の葯を使用し、キウイ品種「香緑」（８年生）及び「ヘイワード」（８年生）には「マツア」の葯を使用した。対照区として、同品種の生葯１２．５ｇから精選した花粉を用いて授粉を行った区（慣行区）と、無受粉区を用意した。各品種の花粉発芽率、各試験区における各品種結実率及び果実品質を調査した。結実率は、開花前にラベルした３０花について、授粉後３０日後に調査した。果実品質は、中庸な１０〜１５果について、エチレン処理により１５℃で追熟させた後、果実重、果実硬度、糖度、クエン酸含量を調査し、内５果の種子数を計数した。結果を表１４〜１６に示す。また、図６〜８に得られた果実の写真を示す。
【００８８】
【表１４】
0006760621.tif 000015
【００８９】
【表１５】
0006760621.tif 000016
【００９０】
【表１６】
0006760621.tif 000017
【００９１】
表１５及び１６より、本発明の花粉収集具を用いて人工授粉を行った場合、結実率及び果実品質の面からは従来法（慣行区）と同程度の結実率と果実品質のものが得られたことから、本発明の花粉収集具は実用性を有することがわかった。
【産業上の利用可能性】
【００９２】
本発明の花粉収集具を用いれば人工授粉を簡便に行うことができる。
【符号の説明】
【００９３】
１  花粉収集具
２  第１収容部
３  第２収容部
４  封止部
５  封止部
６  開封補助手段
７  固定部
【図１】
0006760621.tif 000018
【図２】
0006760621.tif 000019
【図３】
0006760621.tif 000020
【図４】
0006760621.tif 000021
【図５】
0006760621.tif 000022
【図６】
0006760621.tif 000023
【図７】
0006760621.tif 000024
【図８】
0006760621.tif 000025